(57)【特許請求の範囲】
【請求項１】
システムであって、
煙道ガスを発生する炉の下流に配置され、窒素酸化物を窒素に還元するように作用する選択的触媒反応器と、
選択的触媒反応器と流体連通したバイパスラインであって、選択的触媒反応器への入口ラインとつながり、選択的触媒反応器を迂回する煙道ガスの量を処理するように構成された、バイパスラインと、
選択的触媒反応器への入口に配置された第１の制御ダンパと、
バイパスラインへの入口に配置された第２の制御ダンパであって、第１の制御ダンパと相互作用して、煙道ガス流を、選択的触媒反応器とバイパスラインとの間で、システムから放出される三酸化硫黄の量を所望の値に低減するのに有効な比率で分割する第２の制御ダンパと、
選択的触媒反応器の下流に配置されたＳＯ3分析器と、
ＳＯ3分析器と動作可能に通信する制御器と
を備えており、制御器が、ＳＯ3分析器、第１の制御ダンパ及び第２の制御ダンパと動作可能に通信する、システム。
【請求項２】
第１の制御ダンパの上流に配置された第１の遮断ダンパと、第２の制御ダンパの上流に配置された別の遮断ダンパとをさらに備える、請求項１記載のシステム。
【請求項３】
制御器が、第１の遮断ダンパ及び第２の制御ダンパの上流に配置された遮断ダンパと動作可能に通信する、請求項２記載のシステム。
【請求項４】
三酸化硫黄の定期的な測定が選択的触媒反応器の下流で手動で行われ、その結果が、第１の制御ダンパ及び第２の制御ダンパの手動又は自動調節に用いられる、請求項２又は請求項３記載のシステム。
【請求項５】
選択的触媒反応器のサイズが、バイパスラインと第１の制御ダンパと第２の制御ダンパとが存在しない比較システムに配置された選択的触媒反応器よりも小さい、請求項１乃至請求項４のいずれか１項記載のシステム。
【請求項６】
選択的触媒反応器が、バイパスラインと第１の制御ダンパと第２の制御ダンパとが存在しない比較システムに配置された選択的触媒反応器が受け入れる煙道ガスよりも最大３０体積％少ない煙道ガスを受け入れる、請求項１乃至請求項５のいずれか１項記載のシステム。
【請求項７】
煙道ガスを発生する炉の下流に配置され、窒素酸化物を窒素に還元するように作用する選択的触媒反応器と、
選択的触媒反応器と流体連通し、選択的触媒反応器への入口ラインとつながり、選択的触媒反応器を迂回する煙道ガスの量を処理するように構成された、バイパスラインと
を備えるシステムに、炉からの煙道ガス流を排出し、
煙道ガス流を、選択的触媒反応器とバイパスラインとの間で、システムから放出される三酸化硫黄の量を所望の値に低減するのに有効な比率で分割する
ことを含む方法。
【請求項８】
煙道ガス流を、湿式化学による選択的触媒還元器から出すことをさらに含んでいて、煙道ガス流の分割が手動で行われる、請求項７記載の方法。
【請求項９】
煙道ガス流の分割が、インライン分析器及び制御器によって自動で行われる、請求項７記載の方法。
【発明の詳細な説明】
【技術分野】
【０００１】
本開示は、発電設備における選択的触媒還元時の煙道ガス流のバイパスに関する。
【背景技術】
【０００２】
燃焼過程中、炉から発生する煙道ガスは窒素酸化物（ＮＯX）を含む。大気中へのＮＯxの排出を低減することが望ましい。ＮＯX排出を低減するための燃焼の後の１つのプロセスとして選択的触媒還元（ＳＣＲ）のプロセスがある。選択的触媒還元システムは、触媒とアンモニアガスＮＨ3などの反応物を使用して、ＮＯXを窒素分子Ｎ2と水蒸気に解離する。例えば、化石燃料の燃焼炉を有する事業用蒸気発生発電プラントは、ＮＯX低減技法として選択的触媒還元（ＳＣＲ）を利用する場合がある。炉は一般に、後部煙道ボリュームと流体連通する炉ボリュームを備える。炉ボリューム内で生じる炭化水素燃料の燃焼によって高温の煙道ガスが発生し、炉ボリューム内でそのエネルギーの一部が熱力学的蒸気サイクルの作動流体に与えられる。次いで、煙道ガスは後部煙道ボリュームに導かれて、その中を通って作動流体にさらなるエネルギーを与える。煙道ガスは、後部煙道ボリュームを出ると、ガスダクトを経て選択的触媒還元室を通過し、そこから空気予熱器及び煙道ガス浄化システムに導かれ、さらに煙突を経て大気に出る。
【０００３】
ＳＣＲシステムでは、煙道ガス流が後部煙道ボリュームを出た後、ＳＣＲ室の上流のガスダクトのいくつかの箇所でガス状の反応物、多分アンモニア、又は、尿素／水溶液が煙道ガス流内に導入されて混合させられる。次いで、反応物／煙道ガス混合物はＳＣＲ室に入り、ここで、触媒表面の存在する中で反応物と煙道ガス混合物の間でＮＯXの還元が起こる。アンモニア又は尿素の煙道ガス流中への導入は一般に、ガスダクトの周囲に配置された、又は煙道ガス流内の噴射ランスに入れられた噴霧ノズル噴射器を使って行われる。
【０００４】
ＳＣＲはＮＯXの還元を促進するが、ＮＯX還元用に使用される触媒は、流入する二酸化硫黄（ＳＯ2）を三酸化硫黄（ＳＯ3）に酸化するのを促進するため、三酸化硫黄（ＳＯ3）の排出が増大する。煙突でのＳＯ3の排出は、非常に低いレベル（５ｐｐｍ未満）に制限して、過大な不透明度及び／又は可視紫煙を避けなければならない。
【０００５】
ＳＣＲの下流では、ＳＯ3排気は燃焼空気予熱器での凝縮によって部分的に還元して、微粒子及びＳＯ2制御装置で捕捉される。この還元が不十分であれば、一般に特定のＳＯ3制御手段がプロセスに追加される。追加する制御手段の１つは、煙道ガス脱硫装置（ＳＯ2及びＳＯ3除去用）の上流に噴霧乾燥吸収器を追加することである。別の手段は、電気集塵器の上流に凝縮熱交換機を追加することであり、そこでＳＯ3は飛灰／凝縮物によって捕捉される。他の方法としては、アンモニア、石灰、重炭酸ソーダ、トロナなどを用いた乾式又は湿式吸収剤注入が含まれる。これらの方法はすべて、資本コストと運転コストの両方が加わる。したがって、追加する制御機器に費やす資本を最小にして、効果的に大気へのＳＯ3の排出を低減することが望ましい。
【先行技術文献】
【特許文献】
【０００６】
【特許文献１】米国特許第２００３／１５７００７号
【発明の概要】
【課題を解決するための手段】
【０００７】
煙道ガスを発生する炉の下流に配置され、窒素酸化物を窒素に還元するように動作可能な選択的触媒反応器と、選択的触媒反応器と流体連通し、選択的触媒反応器への入口ラインとつながり、選択的触媒反応器を迂回する煙道ガスの量を処理するように構成された、バイパスラインと、選択的触媒反応器への入口に配置された第１の制御ダンパと、バイパスラインへの入口に配置され、第１の制御ダンパと相互作用して、システムから放出される三酸化硫黄の量を所望の値に低減するのに効果的な比率で、煙道ガス流を選択的触媒反応器とバイパスラインとの間で分割する第２の制御ダンパとを備えるシステムが本明細書で開示される。
【０００８】
煙道ガスを発生する炉の下流に配置され、窒素酸化物を窒素に還元するように動作可能な選択的触媒反応器と、選択的触媒反応器と流体連通し、選択的触媒反応器への入口ラインとつながり、選択的触媒反応器を迂回する煙道ガスの量を処理するように構成された、バイパスラインとを備えるシステムに、炉からの煙道ガス流を排出させ、システムから放出される三酸化硫黄の量を所望の値に低減するのに効果的な比率で、煙道ガス流を選択的触媒反応器とバイパスラインとの間で分割することを含む方法もまた本明細書で開示される。
【図面の簡単な説明】
【０００９】
【図１】選択的触媒反応器を迂回するバイパスラインを有するシステムの図である。
【図２】縮小したサイズの選択的触媒反応器を備える図１のシステムの図である。
【発明を実施するための形態】
【００１０】
本明細書では、選択的触媒反応器と、煙道ガスが選択的触媒反応器をバイパスすることができる、選択的触媒反応器に対するバイパスラインとを備える、ＳＯ3の排出を低減するためのシステムを開示する。本選択的触媒反応器は、（炉から出る）煙道ガス流に存在するＮＯXの低減を促進する。一方、一般に、ＳＯ2は選択的触媒反応器の触媒を通ってＳＯ3へ変換され、その結果、大気へ放出されるＳＯ3が増加するが、本バイパスラインはその変換を防止する、又は最小にする。煙道ガス流の一部が選択的触媒反応器をバイパスすることができることによって、発電プラントを出るＳＯ3の減少が促進される。したがって、バイパスラインを使用すると、選択的触媒反応器を通る煙道ガスの量を減らしやすくなり、したがって、選択的触媒反応器のサイズを最大３０％小さくすることができる。
【００１１】
次に図１を参照すると、システム１００は選択的触媒反応器１０２及びバイパスライン１０４を備えている。選択的触媒反応器１０２（以下、ＳＣＲ１０２）は、煙道ガスが出る炉（図示せず）の下流にある。図１のＳＣＲは、煙道ガス流の１００％を触媒作用で還元する大きさになっている。煙道ガスは、システム１００に接触した後、電気集塵器又は布フィルタ（図示せず）などの微粒子捕集装置、及び煙道ガス脱硫装置（図示せず）を通過する場合がある。煙道ガスは、入口ライン１０３を経てＳＣＲ１０２に入り、出口ライン１０５を経てＳＣＲ１０２を出る。入口ライン１０３は、第１の遮断ダンパ１０６及び第１の制御ダンパ１０８を含む。第１の制御ダンパ１０８は、第１の遮断ダンパ１０６の下流にあるが、他の実施形態では、上流にある場合もある。第２の遮断ダンパ１１４は、出口ライン１０５のＳＣＲ１０２の下流にある。
【００１２】
バイパスライン１０４は、第１の遮断ダンパ１０６の上流の箇所で入口ライン１０３とつながり、第２の遮断ダンパ１１４の下流の箇所で出口ライン１０５とつながる。バイパスライン１０４はまた、適宜、第３の遮断ダンパ１１０及び第２の制御ダンパ１１２を備えるが、この場合、第３の遮断ダンパ１１０は第２の制御ダンパ１１２の上流にある。一実施形態では、第２の制御ダンパ１１２は第３の遮断ダンパ１１０の上流にある。遮断ダンパ１０６、１１０、及び１１４はそれぞれ、各遮断ダンパが配置されたラインの中の煙道ガスの流れを完全に遮断するように働く。制御ダンパ１０８及び１１２は可変に調節することができて、選ばれた割合の煙道ガス流が各制御ダンパの下流に流れることを可能にする。ダンパの開位置を設定することができ、また単位負荷（すなわちＭＷ定格）に応じて自動的に制御することができる。さらに、遮断ダンパ及び制御ダンパのすべては、手動で調節することができる、又は、自動的に作動して制御することができる。遮断ダンパ及び制御ダンパはともに、アクチュエータ（図示せず）を使って電気的に作動させる、又は空圧的に作動させることができる。
【００１３】
一実施形態では、システム１００は、適宜、ＳＣＲ１０２の下流に配置されたＳＯ3分析器２０２を備えることができる。ＳＯ3分析器は、遮断ダンパ１０６、１１０、及び１１４のうちの１つ以上と動作可能に通信する任意の制御器２０４と動作可能に通信する。制御器２０４はまた、制御ダンパ１０８及び１１２のうちの１つ以上と動作可能に通信する。ＳＯ3分析器２０２は煙道ガス流中のＳＯ3の量を測定し、この情報を制御器２０４に送信する。続いて制御器２０４は、遮断ダンパ１０６、１１０、及び１１４、並びに制御ダンパ１０８及び１１２を調節して、ＳＣＲに向かう煙道ガス流の割合とバイパスに向かう（それによってＳＣＲをバイパスする）割合を決めることを容易にする。制御器２０４はコンピュータ、マイクロプロセッサなどとすることができ、投入した燃料のタイプ、及びそれと煙道ガス流中のＳＯ3の含有量との関係に関する統計を編集して保持することができるソフトウェアを含むことができる。制御器２０４はまた、炉に投入した燃料のタイプと（各遮断ダンパ及び各制御ダンパに使用される）アクチュエータの作動位置との間の相関を保持することができる。
【００１４】
制御器２０４は、遮断ダンパを制御する１つ以上のアクチュエータ（図示せず）及び／又は制御ダンパにメッセージを送信する。制御器２０４と各遮断ダンパ及び制御ダンパとの間の通信は、図１（及び図２、詳細は後述）において点線で示されている。システムに分析器及び制御器が含まれない場合には、ダンパは、自動ではなく手動で制御することができることに留意されたい。これについても詳細は後述する。
【００１５】
一実施形態において、図１のシステム１００を操作する１つの方法では、まず、第１の遮断ダンパ１０６を閉位置に設定して、炉から出る最初の煙道ガス流（未燃カーボン、オイルミストキャリーオーバなどの汚染物を含む）がバイパスライン１０４を通って流れるようにすることができる。これによって、ＳＣＲ１０２で使用されている触媒が燃える、及び／又は劣化する可能性を防ぐ。汚染物を含む煙道ガス流がシステム１００から排出された後、（ＳＣＲ１０２内の触媒反応性を劣化させ得る汚染物を含まない）煙道ガス流は次いでＳＣＲ１０２を通って排出される。
【００１６】
第１の遮断ダンパ１０６及び第１の制御ダンパ１０８は、炉からの煙道ガスの全量が入口ライン１０３に沿ってＳＣＲ１０２に流れることを可能にしている。第１の遮断ダンパ１０６、第１の制御ダンパ１０８、及び第２の遮断ダンパ１１４は、プロセスのこの部分では完全に開いている。第３の遮断ダンパ１１０は完全に閉じている。煙道ガス流はＳＣＲ１０２を通って流れ、反応物の存在している中、アンモニアに触媒作用してＮＯXを窒素分子Ｎ2と水蒸気に解離する。煙道ガス流中にいくらか含まれるＳＯ2は、ＮＯXの触媒還元中にＳＯ3に変換される。
【００１７】
分析器２０２は、出口ライン１０５に沿ってＳＣＲ１０２から出る煙道ガス流中のＳＯ3の含有量を測定する。分析器２０２は、手動で操作される湿式化学試験室とすることができ、その場合には、（ＳＣＲ１０２によって処理された後の）煙道ガスの試料を瓶又は袋などの器具に定期的に捕集してから湿式化学によって分析することに留意されたい。このような場合には、ダンパ（遮断ダンパ及び制御ダンパの両方）の調節は手動で行われる。
【００１８】
別の実施形態では、分析器２０２は、煙道ガス流中に配置され、その場で三酸化硫黄含有量を測定する自動化学分析器とすることができる。ＳＯ3含有量が許容限界を超える場合には、（自動）制御器２０４は、制御器２０４に制御ダンパ１０８及び１１２をそれぞれ作動させるメッセージを送信する。一実施形態では、ダンパのうちのいくつかは自動的に制御され、その他は手動で制御することができる。
【００１９】
いずれにしても（手動分析又は自動分析のいずれを用いても）、第１の制御ダンパ１０８及び第２の制御ダンパ１１２は、煙道ガス流の全量がＳＣＲ１０２に入ることを防ぐように調節される（すなわち、部分的に開かれる）。煙道ガス流の一部分は、バイパスライン１０４を通って流れる。一実施形態では、第１の制御ダンパ１０８は、煙道ガス流の最大３０％の量がＳＣＲ１０２に入るのを防いで、その代りにバイパスライン１０４に入るように部分的に開けられる。第２の制御ダンパ１１２は、この段階では完全に開いているか、又はライン１０３及び１０４の背圧を適切な値に保つために部分的に開ける場合がある。この設定の間、遮断ダンパはすべて開いており、ガスの流れは制御ダンパによって制御される。制御ダンパの位置は、（閉位置から）煙道ガス流のＳＯ3の量が所望の値に下がるまで調節することができる。一実施形態では、システム１００での調節後の煙道ガス流のＳＯ3の量は、５ｐｐｍ以下、好ましくは３ｐｐｍより少ない量である。
【００２０】
図２に示す一実施形態では、ＳＣＲ１０２を通過する煙道ガスの量は少ないので、ＳＣＲ反応器のサイズを小さくするのが望ましい場合がある。図２は、図１のＳＣＲ１０２のサイズより小さくしたサイズのＳＣＲ１０２を示している。ＳＣＲのサイズは、出口のＮＯX排出の要求値に応じて、体積流量の７０％に、好ましくは５０体積％に落として処理するように小型化することができる。この設計を、煙道ガス量の１００％の処理を専用とするバイパスのないＳＣＲと比較する。図２は、図１と本質的に同様であり、ＳＣＲ１０２のサイズが小型化されて、所望のＳＯ3の量を放出しながら、（バイパスラインを使用しているため）処理すべき少量の煙道ガスを描いていることを除けば、同じように機能する。この小型のＳＣＲ１０２は、関連するバイパスラインとともに、煙突でのＮＯX及びＳＯ3の要求値に合致しながら、断面をより小さく、触媒モジュールをより少なく、及び構造鋼の重量をより軽くして、全煙道ガス流を処理する。
【００２１】
煙道ガスのいくらかがＳＣＲを迂回してバイパスすることによって、ＳＯ3の発生量は減少し、特定のＳＯ3制御装置の追加を不要とし得る。ＳＯ3の含有量の減少はまた、活性炭などの水銀吸収剤の有効度を向上させる。煙道ガスを部分的にバイパスすることはさらに、装置の使用期間にわたって、より少ない触媒モジュールをより容易に装着及び交換できるという恩恵がある。従来のＳＣＲシステムは、他の目的（すなわち、装置の起動及び停止）で遮断ダンパを備えるガスバイパスを含むので、このバイパス設計概念の追加コストは最小である。
【００２２】
様々な要素、構成部品、領域、層、及び／又は区域を説明するために、本明細書では、「第１の」、「第２の」、「第３の」などの用語を使用する場合があるが、これらの要素、構成部品、領域、層、及び／又は区域は、これらの用語によって限定されるものではないことが理解されるであろう。これらの用語は、１つの要素、構成部品、領域、層、又は区域を別の要素、構成部品、領域、層、又は区域と区別するために使用されるに過ぎない。したがって、以下で論じる、第１の要素、構成部品、領域、層、又は区域は、本明細書での教示から逸脱することなく、第２の要素、構成部品、領域、層、又は区域と称することができる。
【００２３】
本明細書で使用する用語は、特定の実施形態を説明する目的のためだけであり、限定することを意図したものではない。本明細書では、単数形で記載されたものであってもは、前後関係から別途明らかでない限り、複数形も含む。さらに、用語「備える」又は「含む」という用語は、本明細書では、標記の特徴、領域、整数、段階、動作、要素、及び／又は構成要素が存在することを特定するが、１以上の他の特徴、領域、整数、段階、動作、要素、構成要素、及び／又はそれらのグループが存在すること、又はそれらが付加されることを排除しないことが理解されるであろう。
【００２４】
さらに、「下方」又は「下部」、及び「上方」又は「上部」などの相対的な用語は、本明細書では、図に示すような、１つの要素の別の要素に対する関係を説明するために使用する場合がある。相対的な用語は、図に描かれた向きに加えて、装置の様々な向きを含むように意図されていることが理解されるであろう。例えば、他の要素の「下方」にあると記述された要素は、図の１つに示された装置をひっくり返した場合、この他の要素の「上方」の向きになっているであろう。したがって、例示的な用語「下方」は、図の特定の向きに従って、「下方」及び「上方」の両方の向きを含むことができる。同様に、他の要素の「下」にあると記述された要素は、図の１つに示された装置をひっくり返した場合、この他の要素の「上」の向きになっているであろう。したがって、例示的な用語「下」は、上及び下の両方の向きを含むことができる。
【００２５】
他に定義されない限り、本明細書で使用されるすべての用語（科学技術用語を含む）は、本開示が属する技術分野の当業者が一般に理解するものと同じ意味を有する。さらに、一般に使用される辞書で定義される用語などの用語は、関連技術及び本開示の分野に関して使用される意味と同じ意味を有すると解釈されるべきであり、本明細書で明示的に定義されない限り、理想的又は過度に形式的な意味で解釈されないことが理解されるであろう。
【００２６】
本明細書では、理想化された実施形態の概略図である断面図を参照して例示的な実施形態を説明している。したがって、例えば、製作技法及び／又は製作公差の結果として、図の形状から変わることが予想される。したがって、本明細書で説明される実施形態は、本明細書で例示されるような特定の形状の範囲に限定されると解釈されるべきではなく、例えば製作で生じる形状のずれを含むと解釈されるべきである。例えば、平坦として図示され、又は説明された領域は、典型的には、粗い、及び／又は非線形の特徴を有する場合がある。さらに、図では鋭角と示しているものが丸みを持っている場合がある。したがって、図で示された領域は、本質的に概略的なものであり、それらの形状は、ある領域の正確な形状を示すことを意図したものではなく、本特許請求の範囲を限定することを意図したものではない。
【００２７】
用語の「及び／又は」は、本明細書では、「及び」と「又は」の両方の意味で使用されている。例えば、「Ａ及び／又はＢ」は、Ａ、Ｂ、又は、Ａ及びＢの意味で解釈される。
【００２８】
「備える」という語は、「主に〜からなる」及び「〜からなる」を包括し、「含む」という語と互換的である。
【００２９】
本発明を、様々な例示的な実施形態を参照して説明してきたが、本発明の範囲から逸脱することなく、様々な変更を行うことができ、また本発明の要素に対して均等物を代用することができることは、当業者であれば理解するであろう。さらに、本発明の本質的な範囲から逸脱することなく本発明の教示に対して特定の状況又は材料を適応させるために、多くの修正を行うことができる。したがって、本発明は、本発明を実施するために考えられる最良の態様として開示された特定の実施形態に限定されるのではなく、本発明は、添付の特許請求の範囲内に当てはまるすべての実施形態を含むことが意図されている。
【図１】
0006467424.tif 000002
【図２】
0006467424.tif 000003